(57)【特許請求の範囲】
【請求項１】
太陽光を受光するパネルを屋根に設置する構造であって、
前記屋根の棟と同方向に延びる回動軸線を中心に回動可能に設けられ、前記棟に対する一方側の第１平部上に位置し、当該第１平部の傾斜方向と交差する方向に延びる立ち上がり部分を有する第１アーム部と、
前記第１アーム部に連結され、前記第１平部上をその傾斜方向に延びる第１縦支持部と、
前記棟と同方向に延び、前記第１縦支持部に固定され、前記パネルを支持する第１横支持部と、
前記棟と同方向に延びる回動軸線を中心に回動可能に設けられ、前記棟に対する他方側の第２平部上に位置し、当該第２平部の傾斜方向と交差する方向に延びる立ち上がり部分を有する第２アーム部と、
前記第１縦支持部と同じ構成を有し、前記第２アーム部に連結され、前記第２平部上をその傾斜方向に延びる第２縦支持部と、
前記第１横支持部と同じ構成を有し、前記棟と同方向に延び、前記第２縦支持部に固定され、前記パネルを支持する第２横支持部とを含み、
前記第１アーム部は、複数設けられ、
前記第２アーム部は、前記第１アーム部と同数設けられ、
前記第１アーム部と前記第２アーム部とは、互いに連結され、
前記第１横支持部は、複数の前記第１縦支持部に跨がって設けられ、
前記第２横支持部は、前記第１横支持部と同数、複数の前記第２縦支持部に跨がって設けられ、
前記第１縦支持部および前記第２縦支持部は、接着剤により、それぞれ前記第１平部および前記第２平部に固定され、
前記第１アーム部および前記第２アーム部は、前記棟と直交する方向に互いに対向して配置されており、
前記棟と直交する方向であって、前記第１アーム部および前記第２アーム部の回動軸線と直交する方向に延び、前記第１アーム部および前記第２アーム部の各立ち上がり部分に挿通されるねじ軸と、
前記ねじ軸に取り付けられ、前記第１アーム部を両側から挟む１対のナットと、
前記ねじ軸に取り付けられ、前記第２アーム部を両側から挟む１対のナットとを含む、パネル設置構造。
【請求項２】
前記第１アーム部は、前記立ちあがり部分の上端から斜め上方に延びる傾斜部分および当該傾斜部分から延設される連結部を有し、
前記第２アーム部は、前記立ちあがり部分の上端から斜め上方に延びる傾斜部分および当該傾斜部分から延設される連結部を有し、
前記第１アーム部の前記連結部と前記第２アーム部の前記連結部とは、前記棟と同方向に互いに対向して配置され、前記棟と同方向に延びるボルトを中心に回動可能に連結されている、請求項１に記載のパネル設置構造。
【請求項３】
前記第１アーム部と前記第１縦支持部とは、ボルトおよびナットにより締結され、
前記第２アーム部と前記第２縦支持部とは、ボルトおよびナットにより締結される、請求項１または２に記載のパネル設置構造。
【発明の詳細な説明】
【技術分野】
【０００１】
本発明は、太陽光を受光するパネル（ソーラーパネル、太陽熱温水パネルなど）を屋根に設置する構造に関する。
【背景技術】
【０００２】
近年、環境保護の観点などから、自然エネルギーを利用したクリーンな発電方式の１つである太陽光発電が注目されており、一般の住宅への太陽光発電システムの導入が進んでいる。
【０００３】
住宅用の太陽光発電システムでは、住宅の屋根上にソーラーパネル（太陽電池モジュール）が設置される。たとえば、複数の固定部材を屋根に固定し、複数の縦フレームを屋根の勾配方向に沿わせて固定部材に固定した後、複数の横フレームを縦フレームに直交させて縦フレーム上に固定して、横フレーム間にソーラーパネルを取り付けることにより、既設住宅の屋根上にソーラーパネルを設置することができる（特許文献１参照）。
【先行技術文献】
【特許文献】
【０００４】
【特許文献１】特開２００９−９１８１１号公報
【発明の概要】
【発明が解決しようとする課題】
【０００５】
ところが、固定部材を屋根に固定するために、ビスが用いられる。ビスは、スレート板などの屋根葺材および野地板を貫通して、垂木にねじ込まれる。そのため、ビスの周囲に雨水の浸入を防止するためのコーキングを施す必要があり、ソーラーパネルの設置作業に時間がかかる。また、コーキングが不十分であると、ビスの周囲から雨水が進入し、雨漏りが生じる。コーキングが十分になされた場合であっても、シーリング材の経時劣化により、雨漏りを生じるおそれがある。
【０００６】
本発明の目的は、太陽光を受光するパネルの設置作業に要する時間の短縮を図ることができ、かつ、雨漏りの発生を防止することができる、パネル設置構造を提供することである。
【課題を解決するための手段】
【０００７】
前記の目的を達成するため、本発明に係るパネル設置構造は、太陽光を受光するパネルを屋根上に設置する構造であって、屋根の棟と同方向に延びる回動軸線を中心に回動可能に設けられ、棟に対する一方側の第１平部上に位置し、当該第１平部の傾斜方向と交差する方向に延びる立ち上がり部分を有する第１アーム部と、第１アーム部に連結され、第１平部上をその傾斜方向に延びる第１縦支持部と、棟と同方向に延び、第１縦支持部に固定され、パネルを支持する第１横支持部と、棟と同方向に延びる回動軸線を中心に回動可能に設けられ、棟に対する他方側の第２平部上に位置し、当該第２平部の傾斜方向と交差する方向に延びる立ち上がり部分を有する第２アーム部と、第１縦支持部と同じ構成を有し、第２アーム部に連結され、第２平部上をその傾斜方向に延びる第２縦支持部と、第１横支持部と同じ構成を有し、棟と同方向に延び、第２縦支持部に固定され、パネルを支持する第２横支持部とを含み、第１アーム部は、複数設けられ、第２アーム部は、第１アーム部と同数設けられ、第１アーム部と第２アーム部とは、互いに連結され、第１横支持部は、複数の第１縦支持部に跨がって設けられ、第２横支持部は、第１横支持部と同数、複数の第２横支持部に跨がって設けられ、第１縦支持部および第２縦支持部は、接着剤により、それぞれ第１平部および第２平部に固定される。
【０００８】
この構造によれば、屋根の棟を挟んだ一方側の第１平部上に、第１アーム部が配置され、その他方側の第２平部上に、第２アーム部が配置される。第１アーム部には、第１平部上を第１平部の傾斜方向に延びる第１縦支持部が連結され、第２アーム部には、第２平部上を第２平部の傾斜方向に延びる第２縦支持部が連結される。そして、第１横支持部が複数の第１縦支持部に跨がって設けられるとともに、第２横支持部が複数の第２縦支持部に跨がって設けられて、第１横支持部および第２横支持部上に、それぞれパネルが取り付けられる。これにより、パネルを含む構造物の両側（棟に対する一方側および他方側）の重量配分を等しくすることができ、パネルを含む構造物の位置が棟と直交する方向にずれにくくすることができる。
【０００９】
また、第１アーム部および第２アーム部がそれぞれ第１平部および第２平部と交差する方向に延びる立ち上がり部分を有するので、第１縦支持部および第２縦支持部が棟瓦や棟包み板（棟押さえ板）などに載り上がることを防止できる。その結果、第１縦支持部および第２縦支持部をそれぞれ第１平部および第２平部に良好に沿わせることができる。
【００１０】
そして、第１縦支持部および第２縦支持部をそれぞれ第１平部および第２平部に良好に沿わせることができるので、接着剤を用いて、第１縦支持部および第２縦支持部をそれぞれ第１平部および第２平部に固定することができ、パネルを含む構造物の位置が棟と直交する方向にずれにくいので、その接着剤を用いた固定により、パネルを含む構造物を十分な強度で屋根に固定することができる。そのため、パネルを含む構造物を屋根に固定するために、ビスを使用する必要がない。その結果、従来行われていたコーキングを省くことができるので、パネルの設置作業に要する時間の短縮を図ることができながら、雨漏りの発生を防止することができる。
【００１１】
また、第１アーム部および第２アーム部が回動可能に設けられているので、棟瓦や棟包み板の幅に応じて、第１アーム部および第２アーム部の角度を容易に調整することができる。よって、パネルの設置作業に要する手間をさらに軽減することができ、その設置作業に要する時間をさらに短縮することができる。
【００１２】
前記第１アーム部および前記第２アーム部は、前記棟と直交する方向に互いに対向して配置されており、前記棟と直交する方向であって、前記第１アーム部および前記第２アーム部の回動軸線と直交する方向に延び、前記第１アーム部および前記第２アーム部の各立ち上がり部分に挿通されるねじ軸と、前記ねじ軸に取り付けられ、前記第１アーム部を両側から挟む１対のナットと、前記ねじ軸に取り付けられ、前記第２アーム部を両側から挟む１対のナットとを含むことが好ましい。
【００１３】
１対のナットで第１アーム部を両側から挟み、別の１対のナットで第２アーム部を両側から挟むことにより、第１アーム部および第２アーム部がねじ軸に対して固定される。その結果、第１アーム部および第２アーム部の角度を容易に固定することができる。また、各ナットの位置を変更することにより、第１アーム部および第２アーム部の各角度を容易に調整することができる。よって、パネルの設置作業に要する手間を一層軽減することができ、その設置作業に要する時間を一層短縮することができる。
【００１４】
また、第１アーム部と第１縦支持部とがボルトおよびナットにより締結され、第２アーム部と第２縦支持部とがボルトおよびナットにより締結されることが好ましい。
【００１５】
この場合、第１アーム部および第２アーム部を屋根に設置した後、第１縦支持部および第２縦支持部をそれぞれ第１アーム部および第２アーム部に連結することができる。そのため、第１アーム部と第１縦支持部とが一体に形成され、第２アーム部と第２縦支持部とが一体に形成されている構造と比較して、第１アーム部、第２アーム部、第１縦支持部および第２縦支持部の設置作業を楽に行うことができる。その結果、パネルの設置作業に要する手間をより一層軽減することができる。
【００１６】
パネルは、太陽光を受光して発電するソーラーパネルであってもよい。
【００１７】
また、パネルは、太陽光を受光して温水を生成する太陽熱温水パネルであってもよい。
【発明の効果】
【００１８】
本発明によれば、太陽光を受光するパネルの設置作業に要する時間の短縮を図ることができ、かつ、雨漏りの発生を防止することができる。
【図面の簡単な説明】
【００１９】
【図１Ａ】本発明の一実施形態に係るパネル設置構造を第１平部側から見た斜視図である。
【図１Ｂ】パネル設置構造を第２平部側から見た斜視図である。
【図２Ａ】パネル用架台の構造を第１平部側から見た斜視図である。
【図２Ｂ】パネル用架台の構造を第２平部側から見た斜視図である。
【図３】第１アーム部、第２アーム部、第１縦支持部および第２縦支持部の正面図である。
【図４】第１アーム部、第２アーム部、第１縦支持部および第２縦支持部の平面図である。
【図５】第１アーム部および第１縦支持部の接続部分の背面図である。
【図６】第２アーム部および第２縦支持部の接続部分の背面図である。
【図７】変形例に係る第１アーム部、第２アーム部、第３アーム部、第１縦支持部および第２縦支持部の正面図である。
【発明を実施するための形態】
【００２０】
以下では、本発明の実施の形態について、添付図面を参照しつつ詳細に説明する。
【００２１】
図１Ａおよび図１Ｂは、本発明の一実施形態に係るパネル設置構造１を示す斜視図である。
【００２２】
パネル設置構造１は、パネル用架台２を用いて、既設住宅３の屋根４上にソーラーパネル（太陽電池モジュール）５を設置する構造である。
【００２３】
図１には、屋根４の一例として、棟６の両側に平部（流れ）７，８を有する切妻屋根が示されている。しかしながら、屋根４は、切妻屋根に限らず、棟６の両側に平部７，８を有する形状のものであれば、たとえば、寄棟屋根であってもよい。なお、平部７，８を区別するため、棟６に対する一方側の平部７を「第１平部７」といい、他方側の平部８を「第２平部８」という。
【００２４】
図２Ａおよび図２Ｂは、パネル用架台２の斜視図であり、屋根４に設置された状態を示す。
【００２５】
パネル用架台２は、複数個（この実施形態では、２個）の第１アーム部１１、第１アーム部１１と同数個の第１縦支持部１２、複数個（この実施形態では、３個）の第１横支持部１３、第１アーム部１１と同数個の第２アーム部１４、第２アーム部１４と同数個の第２縦支持部１５および第１横支持部１３と同数個の第２横支持部１６を備えている。
【００２６】
図３は、第１アーム部１１、第１縦支持部１２、第２アーム部１４および第２縦支持部１５の正面図である。図４は、第１アーム部１１、第１縦支持部１２、第２アーム部１４および第２縦支持部１５の平面図である。図５は、第１アーム部１１および第１縦支持部１２の接続部分の背面図である。図６は、第２アーム部１４および第２縦支持部１５の接続部分の背面図である。
【００２７】
なお、以下の説明では、パネル用架台２が屋根４上に設置された状態を基準に、上下方向を規定する。
【００２８】
第１アーム部１１は、断面角形の鋼管からなる。第１アーム部１１は、図３に示されるように、立ち上がり部分１７および傾斜部分１８を一体的に有している。立ち上がり部分１７は、略上下方向に直線状に延びる。傾斜部分１８は、立ち上がり部分１７の上端から斜め上方に直線状に延びる。
【００２９】
第１縦支持部１２は、断面略コ字状の溝形鋼からなる。第１縦支持部１２は、第１アーム部１１の立ち上がり部分１７に対して傾斜部分１８と反対側に、立ち上がり部分１７の下端から延びている。また、第１縦支持部１２は、断面略コ字状の開放端が側方（背面側）を向くように設けられている。
【００３０】
第１アーム部１１と第１縦支持部１２とは、図５に示されるように、１組のボルト１９およびナット２０ならびにボルト２１により締結されている。具体的に、第１アーム部１１の立ち上がり部分１７の下端には、溶接により、矩形板状の接続板部２２が立ち上がり部分１７の下端縁に囲まれる開口を閉塞するように固着されている。接続板部２２は、立ち上がり部分１７から第１縦支持部１２に沿って延出している。当該延出した部分には、ボルト挿通孔２３が厚さ方向に貫通して形成されている。また、接続板部２２には、立ち上がり部分１７の下方において、ボルト螺合孔２４が貫通して形成されている。そして、第１縦支持部１２の上部（上面）には、ボルト挿通孔２３およびボルト螺合孔２４に対応して、ボルト挿通孔２５，２６が厚さ方向に貫通して形成されている。ボルト１９がボルト挿通孔２３，２５をこの順に挿通されて、ボルト１９にナット２０が螺合され、ボルト２１がボルト挿通孔２６に挿通されて、ボルト２１の先端部がボルト螺合孔２４に螺合されることにより、第１アーム部１１と第１縦支持部１２とが締結されている。
【００３１】
複数個の第１アーム部１１は、所定方向（以下、この方向を「桁行方向」という。）に間隔を空けて、互いに桁行方向に対向して配置される。そのため、各第１アーム部１１に連結された第１縦支持部１２は、桁行方向に間隔を空けて配置され、互いに平行をなしている。
【００３２】
第１横支持部１３は、断面略コ字状の溝形鋼または断面角形の鋼管からなる。複数個の第１横支持部１３は、図２Ａに示されるように、複数個の第１縦支持部１２に跨がった状態で、第１縦支持部１２が延びる方向と直交する方向に延びている。各第１横支持部１３は、溶接により、第１縦支持部１２に固定されている。
【００３３】
第２アーム部１４は、断面角形の鋼管からなる。第２アーム部１４は、図３に示されるように、立ち上がり部分２７および傾斜部分２８を一体的に有している。立ち上がり部分２７は、略上下方向に直線状に延びる。傾斜部分２８は、立ち上がり部分２７の上端から斜め上方に直線状に延びる。
【００３４】
第２縦支持部１５は、断面略コ字状の溝形鋼からなる。第２縦支持部１５は、第２アーム部１４の立ち上がり部分２７に対して傾斜部分２８と反対側に、立ち上がり部分２７の下端から延びている。また、第２縦支持部１５は、断面略コ字状の開放端が側方（背面側）を向くように設けられている。
【００３５】
第２アーム部１４と第２縦支持部１５とは、図６に示されるように、１組のボルト２９およびナット３０ならびにボルト３１により締結されている。具体的に、第２アーム部１４の立ち上がり部分２７の下端には、溶接により、矩形板状の接続板部３２が立ち上がり部分２７の下端縁に囲まれる開口を閉塞するように固着されている。接続板部３２は、立ち上がり部分２７から第２縦支持部１５に沿って延出している。当該延出した部分には、ボルト挿通孔３３が厚さ方向に貫通して形成されている。また、接続板部３２には、立ち上がり部分２７の下方において、ボルト螺合孔３４が貫通して形成されている。そして、第２縦支持部１５の上部（上面）には、ボルト挿通孔３３およびボルト螺合孔３４に対応して、ボルト挿通孔３５，３６が厚さ方向に貫通して形成されている。ボルト２９がボルト挿通孔３３，３５をこの順に挿通されて、ボルト２９にナット３０が螺合され、ボルト３１がボルト挿通孔３６に挿通されて、ボルト３１の先端部がボルト螺合孔３４に螺合されることにより、第２アーム部１４と第２縦支持部１５とが締結されている。
【００３６】
第２アーム部１４は、図２Ｂに示されるように、傾斜部分２８の上端部が第１アーム部１１の傾斜部分１８の上端部と突き合わされるように、各第１アーム部１１に対向して配置される。そのため、各第２アーム部１４に連結された第２縦支持部１５は、桁行方向に間隔を空け、互いに平行をなして、第１アーム部１１側と反対側に延びている。
【００３７】
第２横支持部１６は、断面略コ字状の溝形鋼または断面角形の鋼管からなる。複数個の第２横支持部１６は、複数個の第２縦支持部１５に跨がった状態で、第２縦支持部１５が延びる方向と直交する方向に延びている。各第２横支持部１６は、溶接により、第２縦支持部１５に固定されている。
【００３８】
第１アーム部１１の傾斜部分１８の上端部には、図３および図４に示されるように、略半円板状の連結部３７が傾斜部分１８の延びる方向に延設されている。また、第２アーム部１４の傾斜部分２８の上端部には、略半円板状の連結部３８が傾斜部分２８の延びる方向に延設されている。そして、第１アーム部１１の連結部３７と第２アーム部１４の連結部３８とは、スペーサ３９を挟んで、桁行方向に間隔を空けて対向している。連結部３７，３８には、それぞれボルト挿通孔４０，４１が桁行方向に貫通して形成されている。ボルト挿通孔４０およびボルト挿通孔４１には、連結部３７側からボルト４２が挿通されている。また、スペーサ３９には、桁行方向に貫通する貫通孔が形成され、ボルト４２は、その貫通孔に挿通されているそして、ボルト４２には、連結部３８側からナット４３が螺合されている。これにより、第１アーム部１１および第２アーム部１４は、ボルト４２を中心に回動可能に連結されている。
【００３９】
立ち上がり部分１７の上下方向の略中央には、ねじ軸挿通孔４４が上下方向および桁行方向と直交する方向（以下、この方向を「梁間方向」という。）に貫通して形成されている。また、立ち上がり部分２７の上下方向の略中央には、ねじ軸挿通孔４５が梁間方向に貫通して形成されている。ねじ軸挿通孔４４およびねじ軸挿通孔４５には、ねじ軸４６が挿通されている。ねじ軸４６には、立ち上がり部分１７の両側にナット４７が螺合されるとともに、立ち上がり部分２７の両側にナット４８が螺合されている。
【００４０】
ソーラーパネル５の設置に際しては、まず、複数組の第１アーム部１１および第２アーム部１４が屋根４上に運ばれる。第１アーム部１１および第２アーム部１４は、事前にボルト４２およびナット４３により連結されていてもよいし、屋根４上において、ボルト４２およびナット４３により連結されてもよい。互いに連結された第１アーム部１１および第２アーム部１４は、棟６を跨いで、第１アーム部１１の立ち上がり部分１７が第１平部７上に位置し、第２アーム部１４の立ち上がり部分２７が第２平部８上に位置するように配置される。複数組の第１アーム部１１および第２アーム部１４は、桁行方向に間隔を空けて配置される。
【００４１】
また、第１アーム部１１と同数個の第１縦支持部１２および第２アーム部１４と同数個の第２縦支持部１５が屋根４上に運ばれる。
【００４２】
そして、屋根４上において、第１アーム部１１と第１縦支持部１２とが１組のボルト１９およびナット２０ならびにボルト２１により締結される。また、第２アーム部１４と第２縦支持部１５とが１組のボルト２９およびナット３０ならびにボルト３１により締結される。
【００４３】
その後、第１縦支持部１２が第１平部７上に沿い、第２縦支持部１５が第２平部８上に沿うように、第１アーム部１１と第２アーム部１４との開き角度が調節される。この調節後、ナット４３が締められて、第１アーム部１１と第２アーム部１４との開き角度が固定される。そして、ねじ軸４６がねじ軸挿通孔４４，４５に挿通されて、１対のナット４７および１対のナット４８が締められ、１対のナット４７により、ねじ軸４６が第１アーム部１１の立ち上がり部分１７に固定されるとともに、１対のナット４８により、ねじ軸４６が第２アーム部１４の立ち上がり部分２７に固定される。その結果、第１アーム部１１と第２アーム部１４とは、ボルト４２およびナット４３による締結部、ねじ軸４６と立ち上がり部分１７との締結部ならびにねじ軸４６と立ち上がり部分２７との締結部の３点で固定される。
【００４４】
次に、接着剤を使用して、第１縦支持部１２および第２縦支持部１５の下面が屋根４に接合される。
【００４５】
その後、複数個の第１横支持部１３およびそれと同数個の第２横支持部１６が屋根４上に運ばれる。
【００４６】
そして、各第１横支持部１３が複数個の第１縦支持部１２上に跨がるように配置され、溶接により、各第１横支持部１３が各第１縦支持部１２の上面に固定される。また、各第２横支持部１６が複数個の第２縦支持部１５上に跨がるように配置され、溶接により、各第２横支持部１６が各第２縦支持部１５の上面に固定される。これにより、屋根４上において、パネル用架台２が完成する。
【００４７】
その後、ソーラーパネル５が屋根４上に運ばれる。そして、ソーラーパネル５が複数個の第１横支持部１３上に跨がって取り付けられる。また、ソーラーパネル５が複数個の第２横支持部１６上に跨がって取り付けられる。これにより、ソーラーパネル５の設置が完了する。
【００４８】
以上のように、屋根４の第１平部７上に、第１アーム部１１が配置され、屋根４の第２平部８上に、第２アーム部１４が配置される。第１アーム部１１には、第１平部７上を第１平部７の傾斜方向に延びる第１縦支持部１２が連結され、第２アーム部１４には、第２平部８上を第２平部８の傾斜方向に延びる第２縦支持部１５が連結される。そして、第１横支持部１３が複数の第１縦支持部１２に跨がって設けられるとともに、第２横支持部１６が複数の第２縦支持部１５に跨がって設けられて、第１横支持部１３および第２横支持部１６上に、それぞれソーラーパネル５が取り付けられる。これにより、ソーラーパネル５を設置したパネル用架台２の両側（棟６に対する第１平部７側および第２平部８側）の重量配分を等しくすることができ、パネル用架台２の位置が棟６と直交する梁間方向にずれにくくすることができる。
【００４９】
また、第１アーム部１１および第２アーム部１４がそれぞれ上下方向に延びる立ち上がり部分１７および立ち上がり部分２７を有するので、第１縦支持部１２および第２縦支持部１５が棟瓦や棟包み板（棟押さえ板）などに載り上がることを防止できる。その結果、第１縦支持部１２および第２縦支持部１５をそれぞれ第１平部７および第２平部８に良好に沿わせることができる。
【００５０】
そして、第１縦支持部１２および第２縦支持部１５をそれぞれ第１平部７および第２平部８に良好に沿わせることができるので、接着剤を用いて、第１縦支持部１２および第２縦支持部１５をそれぞれ第１平部７および第２平部８に固定することができ、ソーラーパネル５を設置したパネル用架台２の位置が棟６と直交する方向にずれにくいので、その接着剤を用いた固定により、ソーラーパネル５を設置したパネル用架台２を十分な強度で屋根４に固定することができる。そのため、ソーラーパネル５を設置したパネル用架台２を屋根４に固定するために、ビスを使用する必要がない。その結果、従来行われていたコーキングを省くことができるので、ソーラーパネル５の設置作業に要する時間の短縮を図ることができながら、雨漏りの発生を防止することができる。
【００５１】
また、第１アーム部１１および第２アーム部１４が回動可能に設けられているので、棟瓦や棟包み板の幅に応じて、第１アーム部１１および第２アーム部１４の角度を容易に調整することができる。よって、ソーラーパネル５の設置作業に要する手間をさらに軽減することができ、その設置作業に要する時間をさらに短縮することができる。
【００５２】
第１アーム部１１および第２アーム部１４は、梁間方向に互いに対向して配置されており、パネル設置構造１は、梁間方向に延び、第１アーム部１１および第２アーム部１４の各立ち上がり部分１７，２７に挿通されるねじ軸４６と、ねじ軸４６に取り付けられ、第１アーム部１１を両側から挟む１対のナット４７と、ねじ軸４６に取り付けられ、第２アーム１４部を両側から挟む１対のナット４８とを含む。
【００５３】
１対のナット４７で第１アーム部１１を両側から挟み、別の１対のナット４８で第２アーム部を両側から挟むことにより、第１アーム部１１および第２アーム部１４がねじ軸４６に対して固定される。その結果、第１アーム部１１および第２アーム部１４の開き角度を容易に固定することができる。また、各ナット４７，４８を緩めることにより、第１アーム部１１および第２アーム部１４の開き角度を容易に調整することができる。よって、ソーラーパネル５の設置作業に要する手間を一層軽減することができ、その設置作業に要する時間を一層短縮することができる。
【００５４】
また、第１アーム部１１と第１縦支持部１２とが１組のボルト１９およびナット２０ならびにボルト２１により締結され、第２アーム部１４と第２縦支持部１５とが１組のボルト２９およびナット３０ならびにボルト３１により締結される。
【００５５】
そのため、第１アーム部１１および第２アーム部１４を屋根４に設置した後、第１縦支持部１２および第２縦支持部１５をそれぞれ第１アーム部１１および第２アーム部１４に連結することができる。よって、第１アーム部１１と第１縦支持部１２とが一体に形成され、第２アーム部１４と第２縦支持部１５とが一体に形成されている構造と比較して、第１アーム部１１、第２アーム部１４、第１縦支持部１２および第２縦支持部１５の設置作業を楽に行うことができる。その結果、ソーラーパネル５の設置作業に要する手間をより一層軽減することができる。
【００５６】
以上、本発明の一実施形態について説明したが、本発明は、他の形態で実施することもできる。
【００５７】
前述の説明では、屋根４上でパネル用架台２を完成させた後、パネル用架台２にソーラーパネル５を取り付けることにより、ソーラーパネル５の設置が完了するとした。しかしながら、完成した状態のパネル用架台２を屋根４の上に運搬し、接着剤を用いて、パネル用架台２を屋根４に固定した後、パネル用架台２にソーラーパネル５を取り付けてもよい。
【００５８】
また、図７に示されるように、第１アーム部１１と第２アーム部１４との間に、第３アーム部５１が設けられてもよい。
【００５９】
第３アーム部５１は、第１アーム部１１と第２アーム部１４との間で梁間方向に延びている。第３アーム部５１の両端部５２，５３には、ボルト挿通孔が桁行方向に貫通して形成されている。第３アーム部５１の一端部５２は、第１アーム部１１の連結部３７と桁行方向に対向している。一端部５２のボルト挿通孔および連結部３７のボルト挿通孔４０にボルト５４が挿通されて、ボルト５４にナット５５が螺合されることにより、第３アーム部５１と第１アーム部１１とがボルト５４を中心に回動可能に連結されている。また、第３アーム部５１の他端部５３は、第２アーム部１４の連結部３８と桁行方向に対向している。他端部５３のボルト挿通孔および連結部３８のボルト挿通孔４１にボルト５６が挿通されて、そのボルト５６にナット５７が螺合されることにより、第３アーム部５１と第２アーム部１４とがボルト５６を中心に回動可能に連結されている。
【００６０】
このように、第１アーム部１１および第２アーム部１４は、桁行方向に延びる異なる回動軸線を中心に回動可能に設けられていてもよい。
【００６１】
また、図７に示される構成において、第１アーム部１１の傾斜部分１８および第２アーム部１４の傾斜部分２８が省略されてもよい。その場合、第１アーム部１１の立ち上がり部分１７の上端部に、第３アーム部５１との連結のためのボルト挿通孔が形成され、第２アーム部１４の立ち上がり部分２７の上端部に、第３アーム部５１との連結のためのボルト挿通孔が形成されて、ボルト５４およびナット５５により、第１アーム部１１の立ち上がり部分１７と第３アーム部５１とが連結され、ボルト５６およびナット５７により、第２アーム部１４の立ち上がり部分２７と第３アーム部５１とが連結されてもよい。
【００６２】
前述の実施形態においては、パネルの一例として、ソーラーパネル５を取り上げたが、パネルは、太陽光を受光して温水を生成する太陽熱温水パネルであってもよい。また、第１平部７および第２平部８上に、太陽熱温水パネルが設置されてもよいし、第１平部７および第２平部８の一方上に、ソーラーパネル５が設置され、他方上に、太陽熱温水パネルが設置されてもよい。
【００６３】
その他、前述の構成には、特許請求の範囲に記載された事項の範囲で種々の設計変更を施すことが可能である。
【符号の説明】
【００６４】
１    パネル設置構造
２    パネル用架台
４    屋根
５    ソーラーパネル（パネル）
６    棟
７    第１平部
８    第２平部
１１  第１アーム部
１２  第１縦支持部
１３  第１横支持部
１４  第２アーム部
１５  第２縦支持部
１６  第２横支持部
１７  立ち上がり部分
１９  ボルト
２０  ナット
２１  ボルト
２７  立ち上がり部分
２９  ボルト
３０  ナット
３１  ボルト
４６  ねじ軸
４７  ナット
４８  ナット
【図１Ａ】
0005881121.tif 000002
【図１Ｂ】
0005881121.tif 000003
【図２Ａ】
0005881121.tif 000004
【図２Ｂ】
0005881121.tif 000005
【図３】
0005881121.tif 000006
【図４】
0005881121.tif 000007
【図５】
0005881121.tif 000008
【図６】
0005881121.tif 000009
【図７】
0005881121.tif 000010